(57)【要約】【課題】構造が簡単で、設置場所の制約が少ないコンパクトな回転テーブル式選別装置を提供することである。【解決手段】種々のサイズのペットボトルＢを載置するための環状選別部２を有する回転テーブル１の内周側に、手選別により選び出された大型のペットボトルＢを搬送する環状搬送部３を設け、この環状搬送部３の一箇所をシュート５およびその下方に配置したベルトコンベヤ７に接続して、大型ペットボトルＢをまとめて次工程へ送れるようにすることにより、ペットボトルＢの排出構造を簡単にするとともに、ペットボトルＢの投入、排出場所を自由に設定でき、少ないスペースで装置を設置できるようにしたのである。【選択図】  図１
2004290942.tif 000002
【特許請求の範囲】
【請求項１】
被選別品を載置するための環状選別部を有するテーブルと、このテーブルを回転させる回転駆動手段と、手選別により選び出された被選別品を排出する第１排出手段と、環状選別部に残された被選別品を排出する第２排出手段とを備えた回転テーブル式選別装置において、前記テーブルに、選び出された被選別品を搬送する環状搬送部を設け、この環状搬送部の一箇所を前記第１排出手段に接続したことを特徴とする回転テーブル式選別装置。
【請求項２】
前記環状選別部に多数の開口を形成し、この開口から落下した寸法の小さい被選別品の小物を搬送する小物搬送部を、前記環状選別部の下方に設け、前記小物搬送部の一箇所に小物を排出する第３排出手段を接続したことを特徴とする請求項１に記載の回転テーブル式選別装置。
【請求項３】
前記環状選別部には、その回転方向に沿って多数の棒状部材が前記開口としての隙間をあけて配設されており、これらの各棒状部材がその移動経路の途中に固定して設けた係合部材との接触により押し動かされて、隣り合う棒状部材との間の隙間を広げられるようになっていることを特徴とする請求項２に記載の回転テーブル式選別装置。
【発明の詳細な説明】
【０００１】
【発明の属する技術分野】
この発明は、ペットボトル等の被選別品をそのサイズ等により選別するための回転テーブル式選別装置に関する。
【０００２】
【従来の技術】
近年、省エネルギー等の観点から、ペットボトル等の資源ごみを効率的に再利用するために、資源ごみを他の都市ごみ等の廃棄物と別に回収する分別回収が進められている。しかし、回収された資源ごみには、通常、種々のサイズのものが含まれているし、洗浄等の処理が必要なものや異物が混じっていることも多い。このため、資源ごみの処理設備では、一般に、再生処理の前工程として、回収したごみをサイズや材質によって分類したり、異物や汚れているものを除去したりする選別工程が設けられている。
【０００３】
上述した資源ごみの選別には、従来から、回転テーブル式の選別装置がよく使用されている。この選別装置は、被選別品を載置するための環状選別部を有するテーブルと、このテーブルを回転させる回転駆動手段と、手選別により選び出された被選別品を排出する第１排出手段と、環状選別部に残された被選別品を排出する第２排出手段とを備えたもので、テーブルの周囲に配置された複数の作業者が、環状選別部に載置されて搬送されてくる被選別品をその材質等により選別し、選別した被選別品を別々の排出手段で排出するようになっている（例えば、特許文献１参照。）。
【０００４】
【特許文献１】
実公昭５９−４２１５３号公報
【０００５】
【発明が解決しようとする課題】
上述した回転テーブル式選別装置では、第１排出手段が、一般に、テーブルの周囲に設けられた複数のシュートと、各シュートの下方に配置されたベルトコンベヤとから成り、作業者により環状選別部から取り上げられてシュートに投入された被選別品が、ベルトコンベヤ上に落下してそれぞれ次工程へ送られ、環状選別部に残された被選別品は第２排出手段により別途排出される。
【０００６】
しかしながら、例えば、分別回収されたペットボトルをそのサイズにより２種類に選別する場合等、選び出した被選別品をまとめてホッパに貯蔵したり、次工程へ送ろうとするときは、第１排出手段の各コンベヤを一箇所に集合させることが必要となるため、シュートやコンベヤの位置等に設計上の制約が多く、装置の設置に広いスペースが必要となる場合が多い。
【０００７】
一方、各シュートを傾斜させてその下端部で一箇所に集合させ、一つのコンベヤに接続すれば、シュート毎のコンベヤが不要となって構造が簡単になり、シュートやコンベヤの水平方向の位置制約は少なくなる。しかし、この方法では、傾斜したシュートに投入した被選別品をスムーズにコンベヤ上に落下させるため、装置全体の高さをかなり高くする必要があり、装置の設置場所に高さ制約がある場合には適用が難しい。
【０００８】
そこで、この発明の課題は、構造が簡単で、設置場所の制約が少ないコンパクトな回転テーブル式選別装置を提供することである。
【０００９】
【課題を解決するための手段】
上記の課題を解決するため、この発明は、被選別品を載置するための環状選別部を有するテーブルと、このテーブルを回転させる回転駆動手段と、手選別により選び出された被選別品を排出する第１排出手段と、環状選別部に残された被選別品を排出する第２排出手段とを備えた回転テーブル式選別装置において、前記テーブルに、選び出された被選別品を搬送する環状搬送部を設け、この環状搬送部の一箇所を前記第１排出手段に接続した構成を採用したのである。
【００１０】
すなわち、テーブルに、選び出された被選別品を搬送する環状搬送部を設け、この環状搬送部の一箇所を第１排出手段に接続して、環状選別部から環状搬送部へと投入された被選別品をまとめて排出できるようにすることにより、被選別品の排出構造を簡単にするとともに、各排出手段の配置の自由度を高め、装置の設置場所の制約を少なくしたのである。
【００１１】
上記の構成において、前記環状選別部に多数の開口を形成し、この開口から落下した寸法の小さい被選別品の小物を搬送する小物搬送部を、前記環状選別部の下方に設け、前記小物搬送部の一箇所に小物を排出する第３排出手段を接続することにより、小物の選別を簡単でコンパクトな構造で自動的に行えるようにしたのである。
【００１２】
また、前記環状選別部に、その回転方向に沿って多数の棒状部材を前記開口としての隙間をあけて配設し、これらの各棒状部材がその移動経路の途中に固定して設けた係合部材との接触により押し動かされて、隣り合う棒状部材との間の隙間が広がるようにすることにより、隙間に挟まった寸法の小さい被選別品を小物搬送部へ落下させ、小物の自動選別精度を向上させることができる。
【００１３】
【発明の実施の形態】
以下、図１乃至図６に基づき、この発明の実施形態を説明する。図１および図２は、第１の実施形態を示す。この回転テーブル式選別装置は、分別回収されたペットボトルをそのサイズにより選別するためのもので、水平面内で回転する円盤状の回転テーブル１が、その外周側に被選別品としての種々のサイズのペットボトルＢを載置するための環状選別部２を、内周側には手選別により環状選別部２から投入されたペットボトルＢを載せて搬送する環状搬送部３を有しており、搬送部３が第１排出手段としてのシュート５およびその下方に配置されたベルトコンベヤ７に、選別部２が第２排出手段としてのシュート４およびその下方のベルトコンベヤ６にそれぞれ接続されている。
【００１４】
前記回転テーブル１は、図２に示したように、床面Ｇに立設された複数の支柱８の上端の支持ローラ９に回転自在に支持され、図示省略した回転駆動手段に駆動されて水平面内で回転するようになっている。
【００１５】
また、テーブル１の環状選別部２と環状搬送部３とを仕切る円筒状の仕切り堰１０と、選別部２の外周に沿って延びる外堰１１と、搬送部３の内周に沿って延びる内堰１２とが、図示省略した固定フレームによりテーブル１上面に近接するように支持され、選別部２または搬送部３に載置されたペットボトルＢがテーブル１の外側や内側へ落下しないようになっている。
【００１６】
前記外堰１１は、一部が切り離されてシュート４への案内部１１ａが形成されるとともに、テーブル１の環状選別部２上へ張り出す排出板１３が設けられている。同様に、内堰１２も、一部が切り離されてシュート５への案内部１２ａが形成され、環状搬送部３上へ張り出す排出板１４が設けられている。
【００１７】
この回転テーブル式選別装置は、上記の構成であり、ペットボトルＢの排出構造が簡単で、シュート４、５やコンベヤ６、７の配置の自由度も高い。
【００１８】
次に、この選別装置でのペットボトルの選別作業について説明する。分別回収されたペットボトルＢは、種々のサイズのものが入り混じった状態で、図示省略したベルトコンベヤにより回転テーブル１の環状選別部２に投入される。テーブル１の周囲には複数の作業者Ｍが配置されており、これらの各作業者Ｍが、環状選別部２に載置されて搬送されてくるペットボトルＢの中から、圧縮梱包処理に適するサイズの大きいものを取り上げて、テーブル１内周側の環状搬送部３へ投入する。
【００１９】
環状搬送部３により搬送されてきた大型のペットボトルＢは、搬送部３に張り出した排出板１４に当たってシュート５へ落下し、その下方のコンベヤ７により次工程へ送られる。一方、環状選別部２に残された小〜中型のペットボトルＢは、選別部２に張り出した排出板１３に当たってシュート４へ落下し、コンベヤ６で再生処理ライン外へ排出され、別途処理される。
【００２０】
図３は、第２の実施形態を示す。この実施形態では、図３（ａ）に示すように、回転テーブル１の環状選別部２に、その回転方向に沿って多数の棒状部材としてのローラ１５が、選別部２の開口となる隙間１６をあけて配設され、この隙間１６からペットボトルＢのキャップＣが落下するようになっている。
【００２１】
また、図３（ｂ）に示すように、各ローラ１５の両端小径部を支持するローラ支持部１７ａ、１７ｂには、落下するキャップＣの飛散を防止するためのカバー１８ａ、１８ｂが設けられており、その下方には、落下してきたキャップＣを受ける小物用テーブル１９が設けられている。そして、カバー１８ａ、１８ｂの下端には、周方向の適宜の位置に小物用テーブル１９の上面に近接するスクレーパ１８ｃが設けられ、このスクレーパ１８ｃとテーブル１９とで小物搬送部を構成している。すなわち、小物用テーブル１９に落下したキャップＣは、回転テーブル１と一体に回転するスクレーパ１８ｃにより搬送され、小物用テーブル１９の一箇所に設けられた第３排出手段としての開口（図示省略）から排出されるようになっている。その他の部分の構成は、第１の実施形態と同じである。
【００２２】
従って、この実施形態では、作業者ＭがペットボトルＢからキャップＣを外して環状選別部２に戻すだけで、圧縮梱包処理に適さないキャップＣを自動的に選別し、まとめて排出することができる。なお、各ローラ１５間の隙間１６を小〜中型のペットボトルＢも落下する程度まで広く設定し、選別部２に残るペットボトルＢを少なくして、作業者Ｍの選別作業の負荷を軽減することもできる。
【００２３】
図４は、第２の実施形態の環状選別部２の変形例を示す。この変形例では、図４（ａ）に示すように、各ローラ１５の両端小径部をローラ支持部１７ａ、１７ｂに遊嵌するとともに、周方向の複数の箇所にローラ１５の移動経路に突出する係合部材２０を設けている。係合部材２０は、図示は省略するが、その下端部を床面Ｇに固定されている。これにより、各ローラ１５は、図４（ｂ）に示すように、係合部材２０が設けられた位置を通過するときに、係合部材２０との接触により押し動かされ、隣り合うローラ１５との間の隙間１６が広げられる。
【００２４】
従って、この変形例では、隙間１６に挟まったキャップＣ等の小物も自動的に落下させることができる。なお、各ローラ１５を偏心ローラまたは角形ローラとすれば、その両端小径部を遊嵌させなくても、係合部材２０と接触して押し動かされたときに、隣り合うローラ１５との間の隙間１６が自然に広がるようにすることができる。
【００２５】
図５および図６は、第３の実施形態を示す。この実施形態では、回転テーブル１の周囲の各作業者Ｍの近傍に、大型のペットボトルＢを投入するシュート２１を設け、これらの各シュート２１から落下してきたペットボトルＢを載せて搬送する環状搬送部３を、環状選別部２の下面から垂下した円筒支持部２２の下端に設けている。環状搬送部３は、その一箇所で大型ペットボトルＢを次工程に送るベルトコンベヤ７に接続されている。その他の部分の構成は、第１の実施形態と同じである。
【００２６】
この実施形態は、上記の構成であり、３つの大型ペットボトル用シュート２１を一箇所に集合させるための高さを必要としないため、ある程度高さ制約のある場所にも設置できる。
【００２７】
なお、本発明は、上述の各実施形態で説明したペットボトルの選別に限らず、他の廃棄物や工業製品等の選別にも適用することができる。
【００２８】
【発明の効果】
上述したように、この発明の回転テーブル式選別装置は、環状選別部を有する回転テーブルに、手選別により選び出された被選別品を搬送する環状搬送部を設け、この環状搬送部の一箇所を第１排出手段に接続して、環状選別部から環状搬送部へと投入された被選別品をまとめて排出できるようにしたものであるから、被選別品の排出構造が簡単で、被選別品の投入、排出場所を自由に設定でき、少ないスペースで設置することができる。
【００２９】
また、前記環状選別部に多数の開口を形成し、この開口から落下した寸法の小さい被選別品の小物を搬送する小物搬送部を環状選別部の下方に設けることにより、小物の選別を簡単でコンパクトな構造で自動的に行うことができる。
【図面の簡単な説明】
【図１】第１の実施形態の回転テーブル式選別装置の平面図
【図２】図１のＩＩ−ＩＩ線に沿った断面図
【図３】ａは第２の実施形態の選別装置の回転テーブルの要部拡大平面図、ｂはａのＩＩＩ  ｂ−ＩＩＩ  ｂ線に沿った断面図
【図４】ａは図３の回転テーブルの変形例を示す要部の縦断面図、ｂはａのＩＶｂ−ＩＶｂ線に沿った断面図
【図５】第３の実施形態の選別装置の平面図
【図６】図５のＶＩ−ＶＩ線に沿った断面図
【符号の説明】
１  回転テーブル
２  環状選別部
３  環状搬送部
４、５  シュート
６、７  ベルトコンベヤ
８  支柱
９  支持ローラ
１０、１１、１２  堰
１３、１４  排出板
１５  ローラ
１６  隙間
１７ａ、１７ｂ  ローラ支持部
１８ａ、１８ｂ  カバー
１８ｃ  スクレーパ
１９  小物用テーブル
２０  係合部材
２１  シュート
２２  円筒支持部
Ｂ  ペットボトル
Ｃ  キャップ
Ｇ  床面
Ｍ  作業者
【図１】
2004290942.tif 000003
【図２】
2004290942.tif 000004
【図３】
2004290942.tif 000005
【図４】
2004290942.tif 000006
【図５】
2004290942.tif 000007
【図６】
2004290942.tif 000008